(57)【要約】【課題】  ビューラーを常に清潔に使用することができ、狭まれたまつ毛の状態を容易に視認できるビューラー用シール部材を提供すること。【解決手段】  上狭圧体２と、この上狭圧体２に遠近移動可能とされた下狭圧体３との間にまつ毛Ｍを狭圧するビューラー１の前記上狭圧体２の外表面２ａに貼着し、交換することが可能になるように構成されている。このビューラー用シール部材１２を前記上狭圧体２の外表面２ａに貼着してビューラー１を使用し、汚れたら貼り替えることにより、常に清潔に使用することができる。また、ビューラー１が金属材からなる場合であっても、上狭圧体２の外表面２ａに光が反射することを防止するので、まつ毛Ｍの視認が容易となる。【選択図】      図１
2009017993.tif 000002
【特許請求の範囲】
【請求項１】
上狭圧体と、この上狭圧体に遠近移動可能とされた下狭圧体との間にまつ毛を狭圧するビューラーの前記上狭圧体の外表面に貼着され、交換可能とされたことを特徴とするビューラー用シール部材。
【請求項２】
前記ビューラー用シール部材は、基材と、その裏面側に配設される粘着層とを備え、前記基材の表面には、まつ毛の視認を容易とするための意匠が施されていることを特徴とする請求項１に記載のビューラー用シール部材。
【請求項３】
前記基材は抗菌性材料からなることを特徴とする請求項１または請求項２に記載のビューラー用シール部材。
【請求項４】
前記基材は伸縮性を有することを特徴とする請求項１ないし請求項３のいずれか１項に記載のビューラー用シール部材。
【発明の詳細な説明】
【技術分野】
【０００１】
本発明は、ビューラーに貼着するためのビューラー用シール部材に関するものである。
【背景技術】
【０００２】
従来のビューラーは、図５に示すようなものが一般的である。このビューラー１は、まぶたに内表面２ｂを当接させて位置決めする上挟圧体２と、上挟圧体２の下方に位置して、該上挟圧体２に対して遠近移動可能とされ、上狭圧体２との間にまつ毛Ｍ（図示せず）を挟圧する下挟圧体３とを備える。下狭圧体３の上部には、上方向に凹状の枠部が形成されており、当該枠部には長尺なゴム等の弾性材７が嵌合されている。また、ビューラー１は、上挟圧体２を固定支持し、下挟圧体３を上下動自在に案内支持する二股状の支持杆４と、下狭圧体３を上狭圧体２に対して遠近移動させるための操作手段８とを備えている。
【０００３】
前記操作手段８は、第１レバー５および第２レバー６と、当該第２レバー６と下挟圧体３とを連動連結する連動部材９とからなる。２つのレバー５，６の長手方向中途部にピン１０を貫通することにより、両レバー５，６は枢結されている。第２レバー６は、ピン１０を回動軸として、第１レバー５の前方に回動自在になっている。両レバー５，６の下部には、屈曲形成することで指を挿通できる環状の指環１１が形成されている。連動部材９は、１本の金属製線材をＶ字状に屈曲形成した構造であり、二股状の上端部は、下狭圧体３の下部に連結されている。第２レバー６の先端部には、穴６ａがピン１０と平行に開けられており、当該穴６ａには前記連動部材９の下部の屈曲部が揺動自在に挿通されている。
【０００４】
このビューラー１を用いて、まつ毛Ｍをカールする手順は、まず、両レバー５，６を開き、下狭圧体３を下方に位置させた状態で、ビューラー１の上狭圧体２の内表面２ｂをまぶたに当接させる。この時、まつ毛Ｍの根本がビューラー１の上狭圧体２の下縁部に位置し、毛先は前方に向かって延出した状態とする。この状態で、両レバー５，６を閉じ、上狭圧体２と下狭圧体３との間にまつ毛Ｍを狭圧することをまつ毛Ｍの根本の方から先端に向かって、数度繰り返すことにより、上狭圧体２の下縁部から前方に延出していたまつ毛Ｍの毛先の向きが、上方に傾斜される（カールがかかる）。以上の操作の間、上狭圧体２の外表面（図示せず）の前方に延出するまつ毛Ｍの状態を鏡で確認しながら、所望のカールがかかるように操作する。
【０００５】
【特許文献１】特開平１０−２９５４３３号公報
【発明の開示】
【発明が解決しようとする課題】
【０００６】
しかしながら、図５に示すようなビューラー１の上狭圧体２は、一般に、スチール材等の金属材から形成されている。したがって、この上狭圧体２の外表面の前方に延出したまつ毛Ｍは、金属材に光が反射する等の理由により、視認しづらい。したがって、特に、近眼や老眼の人には、まつ毛Ｍの状態を鏡で確認しながら、所望のカールをかけることが難しかった。また、まつ毛Ｍにマスカラを塗ってからビューラー１をかけた場合、上狭圧体２の外表面にマスカラが付着し、汚れることがあった。しかし、従来の上狭圧体２の両端部は、支持杵４に固定されており、付着したマスカラを拭き取る等の手段しかとれないため、衛生面の問題があった。
【０００７】
そこで、本発明はこのような点に鑑み、狭圧されたまつ毛の状態を鮮明に確認でき、ビューラーを常に清潔に使用することができるビューラー用シール部材を提供することを目的としている。
【課題を解決するための手段】
【０００８】
前述した目的を達成するため、請求項１に記載のビューラー用シール部材は、上狭圧体と、この上狭圧体に遠近移動可能とされた下狭圧体との間にまつ毛を狭圧するビューラーの前記上狭圧体外表面に貼着され、交換可能とされていることを特徴としている。これにより、上狭圧体の外表面にビューラー用シール部材を貼着して使用することができ、汚れたら貼り替えることができるため、常に清潔にビューラーを使用することができる。また、ビューラーが金属材からなる場合であっても、上狭圧体の外表面に光が反射することを防止するので、まつ毛の視認が容易となる。
【０００９】
また、請求項２に記載のビューラー用シール部材は、請求項１に記載のビューラー用シール部材であって、前記基材と、その裏面側に配設される粘着層とを備え、前記基材の表面には、まつ毛の視認を容易とするための意匠が施されていることを特徴としている。これにより、上狭圧体の外表面とまつ毛とを容易に識別することができ、挟まれたまつ毛の状態を鮮明に確認することができる。
【００１０】
請求項３に記載のビューラー用シール部材は、請求項１または請求項２に記載のビューラー用シール部材であり、前記基材は抗菌性材料からなることを特徴としている。この基材を用いることにより、抗菌作用によってビューラーを衛生的に使用することができる。
【００１１】
請求項４に記載のビューラー用シール部材は、請求項１ないし請求項３のいずれか１項に記載のビューラー用シール部材であり、前記基材は伸縮性を有することを特徴としている。この基材を用いることにより、ビューラーの上狭圧体の形状に沿わせて、容易かつ良好にビューラ用シール部材を貼着することが可能となる。
【発明の効果】
【００１２】
以上説明したように、本発明のビューラー用シール部材によれば、狭圧されたまつ毛の状態を容易に視認できる。また、ビューラーを常に清潔に使用することができる。
【発明を実施するための最良の形態】
【００１３】
以下、図面に基づいて本発明の実施形態を説明する。
【００１４】
本実施形態で用いるビューラー１の前記上狭圧体２は、まぶたの形状に沿わせて長手方向を湾曲させた平板状とされている。この上狭圧体２の大きさは、長手方向の長さが約４０ｍｍで、幅が約５ｍｍである。
【００１５】
次に、本実施形態のビューラー用シール部材１２について、図１から図４により説明する。なお、その他、ビューラーの構成と作用は、従来例において説明した通りであるので、ここでは省略する。
【００１６】
図１（Ａ）に、第一実施形態のビューラー用シール部材１２を示す。第一実施形態のビューラー用シール部材１２は、基材１５にポリエステル等の高分子材料を使用し、裏面に剥離可能な粘着層１６を塗布形成した幅約５mmの帯状体である。前記基材１５の表面には、まつ毛Ｍを視認し易くするための色柄の意匠として、着色が施されている。前記基材１５の表面の色は、使用者のまつ毛Ｍの色を想定し、まつ毛Ｍの色との明度差、彩度差、色相差等に着目して、まつ毛Ｍを視認し易い色とする。例えば、まつ毛Ｍの色が明度の低い黒色である使用者を想定した場合には、前記基材１５の表面の色を明度の高い白色とすることにより、まつ毛Ｍの視認を容易にすることができる。また、まつ毛Ｍの色が明度の高い金色である使用者を想定した場合には、前記基材１５の表面の色を明度の低い黒色等とすることにより、まつ毛Ｍの視認を容易にすることができる。なお、この帯状体のビューラー用シール部材１２は、厚紙等からなる同幅のリング状の芯１４の表面に、粘着層１６を下方にして何重にも巻回することによって、ロール状に形成された状態で供給されるものとする。
【００１７】
よって、使用者は、各自のまつ毛Ｍの色を考慮し、まつ毛Ｍを視認しやすい着色が施されたビューラー用シール部材１２を選択、購入し、このビューラー用シール部材１２を、最も外側に巻かれている帯状体の端部から剥がして、ビューラー１の上狭圧体２の長手方向の長さと略同一か、若干小さく（例えば、３５〜３８ｍｍ程度）カットし、上狭圧体２の外表面２ａに貼着して使用する。具体的には、図１（Ｂ）に示すように、第一実施形態のビューラー用シール部材１２をビューラー１の上狭圧体２の外表面２ａに貼着し、上狭圧体２の内表面（図示せず）をまぶたに当接させる。この際、上狭圧体２の外表面２ａに貼着され、まつ毛Ｍを視認しやすい着色が施されたビューラー用シール部材１２は、前方に延出したまつ毛Ｍの背景として視認される。よって、金属材である上狭圧体２の外表面２ａに前方の光が反射することも無く、まつ毛Ｍが視認し易くなり、近眼や老眼の人でも、鏡でまつ毛Ｍの状態を確認しながら、容易に所望のカールをかけることが可能になる。また、ビューラー用シール部材１２にマスカラ等が付着して汚れる度に、貼り替えることができるため、常に清潔にビューラー１を使用することができる。
【００１８】
第二実施形態のビューラー用シール部材１２は、前記基材１５の表面の意匠を除いては、第一実施形態と同じ構成である。すなわち、第二実施形態のビューラー用シール部材１２の表面には、図２（Ａ），（Ｂ）に示すように、長手方向に平行なストライプ模様からなる色柄の意匠が施されている。前記各ストライプは、使用者のまつ毛Ｍの色を想定し、まつ毛Ｍの色との明度差、彩度差、色相差等に着目して、まつ毛Ｍを視認し易い色に着色されている。例えば、まつ毛Ｍの色が明度の低い黒色である使用者を想定した場合には、各ストライプの色を明度の高い黄色Ｙ、水色Ｌ、ピンク色Ｐとする。
【００１９】
図２（Ｂ）に、使用者のまつ毛Ｍが黒色である場合を想定した前記ビューラー用シール部材１２を上狭圧体外表面２ａに貼着し、上狭圧体２の内表面２ｂをまぶたに当接させた様子を示す。ビューラー用シール部材１２の下縁部は、まつ毛Ｍの付け根部分に位置し、下から順に黄色Ｙ、水色Ｌ、ピンク色Ｐのストライプとなっており、それぞれの色がビューラー１の上狭圧体２の外表面２ａの上下方向における位置を示すことになる。よって、まつ毛Ｍの毛先が、ビューラー１の上狭圧体２の外表面２ａの上下方向のどの位置にあるか、などを確認することができる。したがって、金属材である上狭圧体２の外表面２ａに前方の光が反射することも無く、まつ毛Ｍが視認し易くなり、近眼や老眼の人でも、鏡でまつ毛Ｍの状態を確認しながら、容易に所望のカールをかけることが可能になる。
【００２０】
また、前記基材１５の表面の色柄の意匠は、前記のストライプ模様に限定されず、例えば、図３に示すような花柄模様の着色された意匠であってもよいし、図示はしていないが、グラデーションのものでもよい。このビューラー用シール部材１２を上狭圧体２の外表面２ａに貼着して使用することにより、ビューラー１にデザイン性を持たせることができる。
【００２１】
なお、本発明の第一実施形態および第二実施形態に係るビューラー用シール部材１２の基材１５は、ポリエステル等の高分子材料に限らず、例えば、レーヨン繊維材や不織布等の伸縮性を有する繊維材を使用してもよい。前記繊維材は伸縮性を有するため、ビューラー１の上狭圧体２が長手方向に湾曲した平板状であっても、その湾曲形状に沿わせて、容易かつ良好に貼着することができる。また、繊維材を用いたビューラー用シール部材１２は、上狭圧体２の外表面２ａだけでなく、上狭圧体２の内表面２ｂにも貼着して使用してもよい。金属材の代わりに、繊維材のシール材１２が直接肌に接触するため、肌刺激等を防ぐことができる。また、基材１５には、例えば、抗菌作用が認められている銀、銅等の金属や酸化チタン等を繊維に練り込ませ、あるいは、繊維の表面に塗布する等の手段によって含ませた抗菌性材料を用いてもよい。これらの抗菌性材料を用いることにより、抗菌作用によって、予めビューラー１を衛生的に使用することができる。
【００２２】
なお、前記ビューラー用シール部材１２は、基材１５の裏面に粘着層１６が配設されたビューラー用シール部材１２を離型紙１３に貼着してなる三層のシート状として供給されてもよい。その場合、使用者は、各自のまつ毛の色を考慮して選択、購入したビューラー用シール部材１２を、ビューラー１の上狭圧体２の形状に沿わせてカットし、基材１５及び粘着層１６を離型紙１３から剥がして、上狭圧体２の外表面２ａに貼着して使用する。
【００２３】
また、シート状のビューラー用シール部材１２は、各種のビューラー１の上狭圧体２の形状を想定して、予め、その形状に型抜きされていてもよい。例えば、前記ビューラー１を想定した場合、図４（Ａ），（Ｂ）に示すように、基材１５及び粘着層１６には、前記ビューラー１の上狭圧体２の形状に沿わせた形状である、２つの平行な円弧とその両端を二直線で囲んだ扇面形状の切り込みにより、型抜きが施されているものとする。なお、前記円弧の長さは約４０mmであり、両端の直線は約５ｍｍとなっている。
【００２４】
使用者は、各自のまつ毛Ｍの色、及びビューラー１の上狭圧体２の形状を考慮して、前記ビューラー用シール部材１２を選択、購入し、基材１５及び粘着層１６の型抜きされた部分を離型紙１３から剥がし、上狭圧体２の外表面２ａに貼着して使用する。このビューラー用シール部材１２は、上狭圧体２の形状に沿わせてカットする作業を要しないため、容易に貼着し、貼り替えることが可能である。
【００２５】
なお、前記ビューラー用シール部材１２の供給にあたっては、基材１５及び粘着層１６の型抜き部分以外を、予め離型紙１３から除去しておいてもよい。
【００２６】
本発明は前記実施形態に限定されるものではなく、必要に応じて種々変更可能である。ビューラー１の素材は金属材に限定されず、例えば、合成樹脂等でもよく、上狭圧体２の大きさや形状も限定されない。
【図面の簡単な説明】
【００２７】
【図１】本発明の第一実施形態に係るビューラー用シール部材の斜視図（Ａ）と前記シール部材を貼着したビューラーがまぶたに当接した様子を示す正面図（Ｂ）
【図２】本発明の第二実施形態に係るビューラー用シール部材の斜視図（Ａ）と前記シール部材を貼着したビューラーがまぶたに当接した様子を示す正面図（Ｂ）
【図３】本発明の第二実施形態に係るビューラー用シール部材の正面図
【図４】本発明の第三実施形態に係るビューラー用シール部材の斜視図および断面図（Ａ）と正面図（Ｂ）
【図５】従来および本発明のビューラーの斜視図
【符号の説明】
【００２８】
１  ビューラー
２  上狭圧体
２ａ  上狭圧体の外表面
２ｂ  上狭圧体の内表面
３  下狭圧体
４  支持杵
５  第１レバー
６  第２レバー
６ａ  穴
７  弾性材
８  操作手段
９  連動部材
１０  ピン
１１  指環
１２  ビューラー用シール部材
１３  離型紙
１４  芯
１５  基材
１６  粘着層
Ｍ  まつ毛
Ｙ  黄色  
Ｌ  水色
Ｐ  ピンク色
【図１】
2009017993.tif 000003
【図２】
2009017993.tif 000004
【図３】
2009017993.tif 000005
【図４】
2009017993.tif 000006
【図５】
2009017993.tif 000007